【手続補正書】
【提出日】平成20年3月13日(2008.3.13)
【手続補正１】
【補正対象書類名】明細書
【補正対象項目名】特許請求の範囲
【補正方法】変更
【補正の内容】
【特許請求の範囲】
【請求項１】
第１のディジタル透かしを埋め込む方法を使用して予め第１のディジタル透かしを埋め込まれたメディア信号をトランスマーキングする方法であって、
前記メディア信号の中の前記第１のディジタル透かしを検出するステップと、
第２のディジタル透かしが変換処理を切り抜けることに適応するように、前記メディア信号が前記変換処理を受ける前に前記第１のディジタル透かしからのメッセージ情報を前記メディア信号の第２のディジタル透かし内に埋め込むステップと
を含む、前記メディア信号をトランスマーキングする方法。
【請求項２】
前記第２のディジタル透かしは、前記変換処理を切り抜けるために前記第１のディジタル透かしに対して振幅が増大している、請求項１に記載の方法。
【請求項３】
前記第２のディジタル透かしは、前記第１のディジタル透かし埋め込み方法とは異なるステガノグラフ的埋め込み方法を使用して埋め込まれる、請求項１に記載の方法。
【請求項４】
前記第１のディジタル透かしは、前記第２のディジタル透かしを埋め込む前に少なくとも部分的に除去される、請求項１に記載の方法。
【請求項５】
前記メッセージ情報がメッセージ記号を含んでおり、また 前記第１の透かしから前記メッセージ記号を復号するステップと、
前記第１の透かしからの前記メッセージ記号を前記第２の透かしに再埋め込みするステップとを更に含む、請求項１に記載の方法。
【請求項６】
前記メッセージ記号は、前記メディア信号に関する情報を格納するデータベースエントリへのインデックスを含む、請求項５に記載の方法。
【請求項７】
前記メッセージ記号は、コンテンツ識別子を含む、請求項５に記載の方法。
【請求項８】
前記第２のディジタル透かしは、前記第２のディジタル透かしが前記変換処理を切り抜けることに適応するように、埋め込みを制御するために使われる強健度パラメータを使って埋め込まれ、前記強健性パラメータは前記第２のディジタル透かしがレンダリング処理または編集処理または伝送処理の強健度制約に適応するように前記第２のディジタル透かしが前記メディア信号に埋め込まれた後に前記メディア信号を処理しようとしている前記レンダリング処理または編集処理または伝送処理によって指定されることを特徴とする、請求項１に記載の方法。
【請求項９】
前記強健度パラメータは、前記第２のディジタル透かしが前記第１のディジタル透かしよりも確実に前記変換処理を切り抜けられるように、前記第２のディジタル透かしの透かし信号強度、冗長性または周波数領域位置を指定する、請求項８に記載の方法。
【請求項１０】
前記第２のディジタル透かしは、前記第２のディジタル透かしが前記変換処理に適応した知覚的品質を有するように、埋め込みを制御するために使われる知覚品質パラメータを使って埋め込まれ、前記知覚品質パラメータは、前記第２のディジタル透かしがレンダリング処理または編集処理または伝送処理の知覚品質制約に適応するように前記第２のディジタル透かしが前記メディア信号に埋め込まれた後に前記メディア信号を処理しようとしている前記レンダリング処理または編集処理または伝送処理によって指定される、請求項１に記載の方法。
【請求項１１】
前記第２のディジタル透かしは、前記第２のディジタル透かしの少なくとも部分を繰り返し埋め込むフィードバック処理であって、且つ前記透かし入り信号に劣化処理を加えた後に測定された前記透かしの劣化にしたがって、あるいは知覚的品質の測定にしたがって前記メディア信号の部分における前記第２のディジタル透かしの強度を選択的に調整する前記フィードバック処理を使って埋め込まれる、請求項１に記載の方法。
【請求項１２】
前記請求項１に記載の方法を実行するためのソフトウエアが格納されている、コンピュータ読み取り可能な記録媒体。
【請求項１３】
第１のディジタル透かしを埋め込む方法を使用して予め第１のディジタル透かしを埋め込まれたメディア信号をトランスマーキングする方法であって、
前記メディア信号中の前記第１のディジタル透かし検出するステップと、
前記メディア信号を異なるフォーマットに変換するステップと、
第２のディジタル透かしが前記新しいフォーマットに関連する強健度パラメータまたは知覚性パラメータに適応するように、前記第１のディジタル透かしからのメッセージ情報を前記変換されたメディア信号の第２のディジタル透かし内に埋め込むステップと
を含む、前記メディア信号をトランスマーキングする方法。
【請求項１４】
前記新しいフォーマットは前記メディア信号の圧縮されたフォーマットである、請求項１３に記載の方法。
【請求項１５】
前記第２のディジタル透かしは前記新しいフォーマットの前記メディア信号の変換を切り抜けるために前記第１のディジタル透かしよりも大きな信号強度で埋め込まれる、請求項１３に記載の方法。
【請求項１６】
前記第２のディジタル透かしは前記メディア信号の前記新しいフォーマットでより知覚し難いように前記第１のディジタル透かしよりも小さな信号強度で符号化される、請求項１３に記載の方法。
【請求項１７】
前記第１のディジタル透かしの少なくとも一部は、前記メディア信号を前記異なるフォーマットに変換する前に除去される、請求項１３に記載の方法。
【請求項１８】
請求項１３に記載の方法を実行するためのソフトウエアを有する、コンピュータ読み取り可能な記録媒体。
【請求項１９】
第１のディジタル透かしを埋め込む方法を使用して予め第１のディジタル透かしを埋め込まれたメディア信号をトランスマーキングするためのトランスマーカーであって、
前記メディア信号の中の前記第１のディジタル透かしを検出する手段と、
第２のディジタル透かしが変換処理を切り抜けることに適応するように前記メディア信号が前記変換処理を受ける前に前記第１のディジタル透かしからのメッセージ情報を前記メディア信号の第２のディジタル透かし内に埋め込む手段と
を含む、前記メディア信号をトランスマーキングするためのトランスマーカー。
【請求項２０】
第１のディジタル透かしを埋め込む方法を使用して予め第１のディジタル透かしを埋め込まれたメディア信号をトランスマーキングするためのトランスマーカーであって、
前記メディア信号の中の前記第１のディジタル透かしを検出する手段と、
前記メディア信号を異なるフォーマットに変換する手段と、
第２のディジタル透かしが前記新しいフォーマットに関連する強健度パラメータまたは知覚性パラメータに適応するように、前記第１のディジタル透かしからのメッセージ情報を前記変換されたメディア信号の第２のディジタル透かし内に埋め込む手段と
を含む、前記メディア信号をトランスマーキングするためのトランスマーカー。
【請求項２１】
メディア信号内に補助データを秘匿するための、特徴に基づく透かし埋め込み方法であって、
メディア信号内の、１より大きい整数であるＮ個の特徴を識別するステップと、
透かし信号層にしたがって各特徴の周りの１グループのサンプルのサンプル値を変調することによって前記Ｎ個の特徴の周りに透かしを埋め込むステップと
を含む方法。
【請求項２２】
前記特徴は前記メディア信号の導関数のピークを含む、請求項２１に記載の方法。
【請求項２３】
前記メディア信号は画像である、請求項２２に記載の方法。
【請求項２４】
前記透かし信号は雑音層である、請求項２１に記載の方法。
【請求項２５】
前記メディア信号のＮ個の最大特徴の周りに埋め込まれた第１のタイプおよび前記メディア信号の周りに広がる第２のタイプという異なるタイプの透かし信号が前記メディア信号内に埋め込まれる、請求項２１に記載の方法。
【請求項２６】
前記メディア信号は画像である、請求項２５に記載の方法。
【請求項２７】
前記特徴は前記画像のピークを含む、請求項２６に記載の方法。
【請求項２８】
前記特徴は前記画像の導関数のピークを含む、請求項２７に記載の方法。
【請求項２９】
前記第２のタイプはメッセージペイロードを担持する、請求項２５に記載の方法。
【請求項３０】
前記透かし信号は、前記透かし信号の自動相関または交差相関を計算し、結果信号のピークの配置から拡大縮小を導き出すことによって透かし復号器が拡大縮小の歪みを補償することを可能にする相関特性を有する、請求項２１に記載の方法。
【請求項３１】
前記透かしは１または−１いずれかの記号値のＰＮ列を含んでおり、これらの記号はメディア信号のサンプルに写像され、また異なる記号に対応するサンプルの隣接グループ間の位相遷移は緩やかに変化させられる、請求項２１に記載の方法。
【請求項３２】
メディア信号に透かしをステガノグラフ的に埋め込む方法であって、
１または−１いずれかの記号のＰＮ列を含むメッセージを形成するステップと、
前記記号をメディア信号内のサンプルに写像するステップと、
異なる記号に対応するサンプルの隣接グループ間の位相遷移を滑らかに変化させるステップと
を含む方法。
【請求項３３】
前記メディア信号はオーディオ信号である、請求項３２に記載の方法。
【請求項３４】
メディア信号内に補助データを秘匿する、特徴に基づく透かしを復号する方法であって、
メディア信号内の、１より大きい整数であるＮ個の特徴を識別するステップと、
各特徴の周りの１グループにおけるサンプルのサンプル値を透かし信号層に相関させることによってＮ個の特徴の周りの透かしを復号するステップと、
その他の特徴の一つ以上に関して補助データを復号するためにＮ個の特徴の一つを基準として使用するステップと
を含む方法。
【請求項３５】
前記特徴は前記メディア信号のピークである、請求項３４に記載の方法。
【請求項３６】
前記ピークは前記メディア信号の導関数のピークである、請求項３５に記載の方法。
【請求項３７】
前記透かし信号の自動相関によって生成された相関ピークは、補助データメッセージを復号する前に前記透かし入り信号の拡大縮小歪みを補償するために使われる、請求項３４に記載の方法。
【請求項３８】
前記メディア信号は画像であり、前記相関ピークは補助データメッセージを復号する前に回転歪みを補償するために使われる、請求項３７に記載の方法。
【請求項３９】
前記特徴の周りとその他の場所に在る透かしを含む多数の異なる透かし層が復号される、請求項３４に記載の方法。
【請求項４０】
前記透かし層は、前記透かし入り信号に対して交差相関または自動相関を使用して検出されたＰＮ列キャリア信号を使用する、請求項３９に記載の方法。
【請求項４１】
前記メディアオブジェクトへのディジタル透かしの埋め込みを制御する方法であって、
透かし強度とメッセージペイロードとを含む透かし埋め込みパラメータを指定する透かし埋め込み機能を受け取るステップと、
前記透かし埋め込み機能をレンダリング記述ファイルに挿入するステップと、
レンダリング時に前記透かし埋め込み機能を読み取り、前記透かしメッセージペイロードを前記透かし強度で前記メディアオブジェクト内にステガノグラフ的に埋め込むステップと
を含む方法。
【請求項４２】
前記メディアオブジェクトは異なるフォーマットの二つ以上の画像の集まりを含むグラフィックアートを含む、請求項４１に記載の方法。
【請求項４３】
前記メディアオブジェクトは音楽信号を含んでおり、また前記ステガノグラフ的埋め込み処理はレンダリング時に選択された強健度パラメータまたは知覚品質パラメータに適応する、請求項４１に記載の方法。
【請求項４４】
前記メディアオブジェクトは音楽信号を含んでおり、また前記ステガノグラフ的埋め込み処理はレンダリング時に選択された強健度パラメータまたは知覚品質パラメータに適応する、請求項４１に記載の方法。
【請求項４５】
前記ステガノグラフ的埋め込み処理は、
２回以上の反復で前記メッセージペイロードを繰り返し埋め込むステップと、
各反復ごとに前記メッセージペイロードの誤り検出率を分析するステップと、
前記誤り検出率が許容レベルになるように前記反復の少なくとも一つに関して前記埋め込み処理の強健度パラメータを調整するステップとを含む、請求項４１に記載の方法。
【請求項４６】
二つ以上の異なる透かし埋め込みモジュールを備えるステップを含んでおり、各モジュールは異なるレンダリング処理または伝送チャネルに適応しており、前記透かし埋め込みモジュールはメディアオブジェクトが与えられるべきレンダリング処理または伝送チャネルに依存してレンダリング時に選択される、請求項４１に記載の方法。
【請求項４７】
前記透かし埋め込み機能は透かしの埋め込み場所を指定する、請求項４１に記載の方法。
【請求項４８】
前記ステガノグラフ的埋め込み処理はレンダリング処理に依存して透かしの埋め込み場所を選択する、請求項４１に記載の方法。
【請求項４９】
前記メディアオブジェクトは画像を含んでおり、また前記ステガノグラフ的埋め込み処理は前記画像を印刷するプリンタに適合するフォーマットに前記画像をラスター化した後に前記透かしメッセージペイロードを前記画像に埋め込む、請求項４１に記載の方法。
【請求項５０】
前記透かしメッセージペイロードは、前記画像を印刷するプリンタに適合する中間調化処理によって前記画像が中間調画像に変換された後に前記画像に埋め込まれる、請求項４１に記載の方法。
【請求項５１】
メディアオブジェクト処理システムであって、
透かしメッセージペイロードを含む透かし埋め込み機能であってメディアオブジェクトに適用される前記透かし埋め込み機能と前記メディアオブジェクトへの前記透かしメッセージペイロードの埋め込みを制御するパラメータとを含む、ユーザが前記メディアオブジェクトに関するレンダリングコマンドを指定することを可能にする入力手段と、
前記メディアオブジェクトのレンダリング方法を記述したレンダリング記述ファイルを生成する手段と、
前記透かしメッセージペイロードを前記メディアオブジェクト内にステガノグラフ的に埋め込む透かし埋め込みモジュールと
を含むメディアオブジェクト処理システム。
【請求項５２】
前記システムは異なるレンダリング処理のために異なる埋め込みモジュールを選択するように動作できる、請求項５１に記載のシステム。
【請求項５３】
前記埋め込みモジュールは、２回以上の反復で透かしメッセージペイロードを前記メディアオブジェクト内に繰り返し埋め込むように動作でき、また各反復ごとに透かしの強健度に適応するように前記メッセージペイロードの誤り検出率を分析する、請求項５１に記載のシステム。
【請求項５４】
前記透かし埋め込みモジュールは、前記誤り検出率を分析する前に一つの反復から出力された透かし入りメディア信号に劣化処理を施す、請求項５３に記載のシステム。
【請求項５５】
前記メディアオブジェクトは、前記透かし埋め込み機能が前記レンダリング記述ファイルに挿入されるときに、ラスター化された画像に変換されなかったレンダリングコマンドによって少なくとも部分的に指定されるグラフィックアートを含む、請求項５１に記載のシステム。
【請求項５６】
前記メディアオブジェクトは、前記透かし埋め込み機能が前記レンダリング記述ファイルに挿入されるときに、オーディオ信号に変換されなかったレンダリングコマンドによって少なくとも部分的に表現される構造化されたオーディオを含む、請求項５１に記載のシステム。
【請求項５７】
前記メディアオブジェクトは、前記透かし埋め込み機能が前記レンダリング記述ファイルに挿入されるときに、ビデオ信号に変換されなかったビデオ列を生成する方法を指定するレンダリングコマンドを含む、請求項５１に記載のシステム。
【請求項５８】
レンダリング記述ファイルを有するコンピュータ読み取り可能な記録媒体であって、
メディアオブジェクトをレンダリングする方法を記述する一つ以上のレンダリングコマンドと、
前記メディアオブジェクトがレンダリングされた後に前記メディアオブジェクト内に透かしメッセージペイロードを埋め込む方法を指定する透かし埋め込み機能とを含むレンダリング記述ファイルを有するコンピュータ読み取り可能な記録媒体。
【請求項５９】
前記レンダリング記述ファイルは、ラスター化された画像を生成する方法を記述するレンダリングコマンドを含んでおり、前記透かし埋め込み機能は前記ラスター化された画像に前記透かしメッセージを埋め込む方法を指定する、請求項５８に記載のコンピュータ読み取り可能な記録媒体。
【請求項６０】
前記透かし埋め込み機能は透かし強度パラメータと、ラスター化された画像の何処にどの強度で前記透かしメッセージを埋め込むべきかを指定する埋め込み場所とを含んでいる、請求項５９に記載のコンピュータ読み取り可能な記録媒体。